(57)【要約】      （修正有）【課題】ビス等の固定手段を極力使用することなく、組立てを簡易に行うことができ、組立て誤差が小さい納骨壇を提供する。【解決手段】各遺骨収納室は棚板および仕切り板によって区画された納骨壇であって、前後２本のスライドベースが平行して敷設された底板、前方のスライドベースにスライド可能に係合され、仕切り板を挿入支持可能な挿入溝が設けられた複数の前基柱、後方のスライドベースにスライド可能に係合され、仕切り板を挿入支持可能な挿入溝が設けられた複数の後基柱、前基柱の前面に架設された複数のフロントカウンター並びにフロントカウンターとの嵌合部および棚板を挿入支持可能な挿入溝を有するリアカウンターを備え、挿入した仕切り板の上辺に挿着されたＵ字鋼上に棚板が載置されるとともに、隣り合う前基柱間においてフロントカウンターに嵌合されたリアカウンターの挿入溝に棚板の端部が挿入されて棚板が支持固定される納骨壇。【選択図】図１
2014233465.tif 000002
【特許請求の範囲】
【請求項１】
複数の遺骨収納室が格子状に形成され、各遺骨収納室は棚板および仕切り板によって区画された納骨壇であって、前後２本のスライドベースが平行して敷設された底板、前方のスライドベースにスライド可能に係合され、仕切り板を挿入支持可能な挿入溝が設けられた複数の前基柱、後方のスライドベースにスライド可能に係合され、仕切り板を挿入支持可能な挿入溝が設けられた複数の後基柱、前基柱の前面に架設された複数のフロントカウンター並びにフロントカウンターとの嵌合部および棚板を挿入支持可能な挿入溝を有するリアカウンターを備え、対向する前基柱および後基柱の挿入溝に仕切り板の両端が挿入されて仕切り板が支持固定され、挿入した仕切り板の上辺に挿着されたＵ字鋼上に棚板が載置されるとともに、隣り合う前基柱間においてフロントカウンターに嵌合されたリアカウンターの挿入溝に棚板の端部が挿入されて棚板が支持固定されることを特徴とする納骨壇。
【請求項２】
前基柱に、リアカウンターを支持するアタッチメントを嵌着したものである請求項１記載の納骨壇。
【請求項３】
後基柱が、井型形状である請求項１または２に記載の納骨壇。
【請求項４】
各遺骨収納室に開閉自在な扉を備えたものである請求項１〜３のいずれかの項記載の納骨壇。
【発明の詳細な説明】
【技術分野】
【０００１】
本発明は骨壺等を収納する納骨壇に関し、さらに詳細には、ビス等の固定手段をほとんど使用することなく組立てが簡易でありながら、組立て誤差が小さい納骨壇に関する。
【０００２】
従来は、墓地において、家毎に独立した個壇に故人の遺骨を収納して埋葬していたが、近年は、墓地の不足や価格の高騰などから、屋内において多数の遺骨収納室を有する納骨壇の利用が増加している。
【０００３】
このような納骨壇として、例えば、金属板を格子状に組み立てた納骨壇（特許文献１）などが開示されている。しかし、このような従来の納骨壇は、多数の板材を使用しており、それぞれをビス等の固定手段によって固定しているため、組立ての工程が複雑で、非常に手間がかかるという問題があった。
【先行技術文献】
【特許文献】
【０００４】
【特許文献１】特開２００２−３８７６８号公報
【発明の概要】
【発明が解決しようとする課題】
【０００５】
本発明は、ビス等の固定手段を極力省略し、組立てが簡易であって、組立て誤差が小さい納骨壇を提供することを目的とする。
【課題を解決するための手段】
【０００６】
本発明者は、上記課題を解決すべく納骨壇の構造について鋭意検討を行った結果、本発明を完成した。
【０００７】
すなわち上記課題を解決した本発明の納骨壇は、複数の遺骨収納室が格子状に形成され、各遺骨収納室は棚板および仕切り板によって区画された納骨壇であって、前後２本のスライドベースが平行して敷設された底板、前方のスライドベースにスライド可能に係合され、仕切り板を挿入支持可能な挿入溝が設けられた複数の前基柱、後方のスライドベースにスライド可能に係合され、仕切り板を挿入支持可能な挿入溝が設けられた複数の後基柱、前基柱の前面に架設された複数のフロントカウンター並びにフロントカウンターとの嵌合部および棚板を挿入支持可能な挿入溝を有するリアカウンターを備え、対向する前基柱および後基柱の挿入溝に仕切り板の両端が挿入されて仕切り板が支持固定され、挿入した仕切り板の上辺に挿着されたＵ字鋼上に棚板が載置されるとともに、隣り合う前基柱間においてフロントカウンターに嵌合されたリアカウンターの挿入溝に棚板の端部が挿入されて棚板が支持固定されることを特徴とする。
【発明の効果】
【０００８】
本発明の納骨壇は、両端および天地を除き、中央部の構造は全てビス等の固定手段を使用することなく、板材を順次、部材に設けられた溝に挿入したり、載置するなどして一定の遊びを保持した状態で形成され、組み上げた後に振動を与えることによって自律的に所定の位置に組み込まれる自調納まり形の遊式構造であり、各構成部材も主にワンタッチで係合するだけであるため、極めて簡易に組み立てることができ、作業コストを大きく軽減することが可能である。さらに、全体の組み立て誤差を小さい範囲に抑えることができる。また納骨壇を構成する各部材の材質、意匠の選択の自由度が高く、これらを様々に組合せによって高い付加価値を付与することができる。さらに、各構成部材として主にアルミ型材を採用することにより、防火性に優れるとともに、コストを軽減することが可能である。
【図面の簡単な説明】
【０００９】
【図１】本発明納骨壇を示す斜視図
【図２】同正面図
【図３】同側面断面図
【図４】同側面断面拡大図
【図５】スライドベースの断面図
【図６】スライドエッジの断面図
【図７】前基柱の断面図
【図８】化粧柱の断面図
【図９】アタッチメントの断面図
【図１０】後基柱（井型柱）の断面図
【図１１】袖後基柱（袖井型柱）の断面図
【図１２】キャッチプレートの断面図
【図１３】Ｕ字鋼の断面図
【図１４】フロントカウンターの断面図
【図１５】リアカウンターの断面図
【図１６】袖柱の断面図
【図１７−１】組立て手順において、台座を構築する段階を示す図。（ａ）は正面図、（ｂ）は側面図である。
【図１７−２】組立て手順において、台座にスライドベース、巾木等を取り付けた状態を示す図。（ａ）は平面図、（ｂ）は正面図、（ｃ）は側面図である。
【図１７−３Ａ】組立て手順において、前基柱、後基柱を取り付けた状態を示す図。（ａ）は平面図、（ｂ）は正面図、（ｃ）は側面図である。
【図１７−３Ｂ】同図中のＡ拡大図である。
【図１７−４】組立て手順において、背板を挿着した状態を示す図。（ａ）は平面図、（ｂ）は正面図、（ｃ）は側面図である。
【図１７−５】組立て手順において、両端の袖柱を取り付けた状態を示す図。（ａ）は平面図、（ｂ）は正面図、（ｃ）は側面図である。
【図１７−６Ａ】組立て手順において、底板、仕切り板、化粧柱を設置した状態を示す図。（ａ）は平面図、（ｂ）は正面図、（ｃ）は側面図である。
【図１７−６Ｂ】同図中Ｂ−Ｂ’側断面拡大図。
【図１７−７Ａ】組立て手順において、フロントカウンターを設置した状態を示す図。（ａ）は平面図、（ｂ）は正面図、（ｃ）は側面図である。
【図１７−７Ｂ】同図中Ｄ拡大図。
【図１７−８Ａ】組立て手順において、リアカウンター、Ｕ字鋼、棚板を設置した状態を示す図。（ａ）は平面図、（ｂ）は正面図、（ｃ）はＥ−Ｅ’側断面図である。
【図１７−８Ｂ】同図中Ｆ拡大図。
【図１７−９Ａ】組立て手順において、中間段組立てを繰り返した状態を示す図。（ａ）は正面図、（ｂ）はＧ−Ｇ’側断面図である。
【図１７−９Ｂ】同図中Ｈ−Ｈ’側断面図。
【図１７−１０Ａ】組立て手順において、最上段まで組み上げた状態を示す図。（ａ）は正面図、（ｂ）はＩ−Ｉ’側断面図である。
【図１７−１０Ｂ】同図中最上段部の平面図（ａ）、正面図（ｂ）、側面図（ｃ）である。
【図１７−１１Ａ】組立て手順において、袖後基柱を側板に固定されたキャッチプレートに嵌着した状態を示す図。
【図１７−１１Ｂ】同図中Ｊ拡大図。
【図１７−１２】組立て手順において、扉を取り付けた状態を示す図。（ａ）は正面図、（ｂ）はＫ−Ｋ’側断面図である。
【図１８】本発明の別の実施態様の納骨壇を示す正面図
【図１９】同側面断面図
【発明を実施するための形態】
【００１０】
以下、本発明の納骨壇のいくつかの実施形態示す図面と共に、本発明を更に詳しく説明する。なお、本発明の納骨壇は、これら実施態様に何ら制約されるものではない。
【００１１】
図１は、本発明納骨壇の斜視図、図２は同正面図、図３は同側面断面図、図４は同側面断面拡大図を示す。
【００１２】
本発明の納骨壇の躯体は、図２〜４に示すように、両端の袖柱１、台座２、天蓋３、背板４、側板５から構成されており、その内部は棚板６および仕切り板７によって任意の段数および列数に区画されて各納骨収納室が形成されている。各区画には、扉２３が開閉自在に取り付けられている。
【００１３】
図４に示すとおり、台座２は、木製または金属製の柱材、板材によって形成され、その前面には巾木８および巾木台９が取り付けられる。巾木８は人造石またはアルミ型材であり、巾木台９はアルミ型材で形成される。
【００１４】
台座ベース２の上面には、２本のスライドベース１０が長手方向に平行して敷設される。図５はスライドベース１０の断面図である。スライドベース１０の上部には、前基柱１１、後基柱１２または袖後基柱１３を係合するためのスライド溝１０ａが長手方向に沿って形成されている。スライド溝１０ａは断面略矩形で、上面に開口部を有しており、スライドベース１０の長手方向の一方の側面から他方の側面まで連通し、側面も開口している。前基柱１１、後基柱１２、袖後基柱１３は、それぞれ下端にスライドエッジ１４を備えている（図６）。本実施形態において、後基柱１２、袖後基柱１３は井型形状のものである（井型柱）。スライドエッジ１４は、スライドベース１０のスライド溝１０ａの一方の側面開口部から挿入され、スライド可能に係合される（図１７−３Ｂ）。スライドエッジ１４の本体部分の幅はスライドベース１０のスライド溝１０ａの上方開口部の幅よりもわずかに短く、その下端縁がスライド溝１０ａの内部形状に沿って折り返されて形成されているため、上方向に脱抜が規制されるとともに、垂直方向に支持される。スライド溝１０ａの上方開口部は、スライドベース１０の長手方向の両端まで連通しており、前基柱１１および後基柱（井型柱）１２をスライドさせて、スライドベース１０上の任意の位置に設置することができる。前基柱１１および後基柱（井型柱）１２を所定の位置に配置し、隣り合う１対の前基柱１１および後基柱（井型柱）１２により形成される区画毎に、スライドベース１０の支持部１０ｂ上に底板１５が載置される。前基柱１１が係合される前方のスライドベース１０の支持部１０ｂ上には、その全面に底板１５が載置されるが、後基柱（井型柱）１２が係合される後方のスライドベース１０には、背板４が挿入溝１０ｃに挿入されるため、底板１５は支持部１０ｂの一方の面にのみ載置される（図４）。
【００１５】
前基柱１１は、ビス穴１１ａ、挿入溝１１ｂ、嵌合部１１ｃ、嵌合溝１１ｄを備える（図８）。前基柱１１は、ビス穴１１ａを介してビスでスライドエッジ１４に取り付けられる。化粧柱嵌合部１１ｃには溝部１１ｅが形成され、化粧柱１６の嵌合部１６ａの先端に設けられた突起部１６ｂと嵌着する（図８、図１７−６Ｂ）。前基柱１１の嵌合部１１ｃの先端部は楔形状となっているため、化粧柱１６を円滑にその内部に導入し、嵌合部１１ｃの溝部１１ｅに化粧柱１６の突起部１６ｂが嵌め込まれ、化粧柱１６は、前基柱１１から抜け落ちることなく保持される。一方、化粧柱１６の嵌合部１６ａを内側にしぼることにより簡単に取り外すことができる。このように、化粧柱１６は前基柱１１に対しワンタッチで着脱可能である。また前基柱１１の嵌合溝１１ｄには、アタッチメント１７の突起部１７ａが嵌め込まれて嵌着される（図９、図１７−７Ｂ）。アタッチメント１７は、その上端がリアカウンター２１の下端と当接する位置に嵌着されてリアカウンター２１の上下と前後の位置決めをする（図４）。
【００１６】
後基柱（井型柱）１２は、ビス穴１２ａ、仕切り板挿入溝１２ｂ、背板挿入溝１２ｃを備えたものである（図１０）。後基柱（井型柱）１２はビス穴１２ａを介してビスでスライドエッジ１４に取り付けられる。仕切り板挿入溝１２ｂは、対向する前基柱の仕切り板挿入溝１１ｂと一対となって、それぞれの挿入溝に１枚の仕切り板７の両端が挿入され、この間に挟持される。一方、背板挿入溝１２ｃは、隣接する後基柱１２の背板挿入溝１２ｃに１枚の背板を挿入し、その間で挟持される。後基柱（井型柱）のうち、両端に設置されるものには、仕切り板挿入溝の一方の先端に折返し部を設けた袖後基柱（袖井型柱）１３が用いられる（図１１）。この仕切り板挿入溝１３ｂに、側板５に固定されたキャッチプレート１８の嵌合部１８ａを嵌め込むことによって、この袖後基柱（袖井型柱）１３が側板５に係止、固定される（図１２，１７−１１Ｂ）。
【００１７】
挿入された仕切り板７の上辺には、Ｕ字鋼１９が挿着される（図１３、図１７−９Ｂ）。Ｕ字鋼１９は、仕切り板６を挿入する挿入溝１９ａと支持部１９ｂを備えており、支持部１９ｂ上に棚板６が載置される。
【００１８】
前基柱１１の前面には、フロントカウンター２０が架設される。フロントカウンター２０は両端のみ袖柱１にビス等の固定手段により固定され、所望の段数となるように必要な数だけ架設される。フロントカウンター２０の上部後面側には、リアカウンター２１と係合するための溝部２０ａが設けられている（図１４）。この溝部２０ａにリアカウンター２１の嵌合部２１ａを嵌め込むとともに、リアカウンター２１の突出部２１ｂの下端が、アタッチメント１７の上端と当接する位置に、アタッチメント１７が前基柱１１に嵌着されることによって、リアカウンター２１が支持固定される（図１７−８Ｂ）。またリアカウンター２１の上部後面側には棚板６を挿入する挿入溝２１ｃが設けられており、この挿入溝２１ｃに棚板６を挿入しつつ、Ｕ字鋼１９の支持部１９ｂ上に載置することによって、棚板６が支持固定される（図１５、図１７−８Ｂ）。本実施形態において、スライドベース１０、前基柱１１、後基柱（井型柱）１２、袖後基柱（袖井型柱）１３、スライドエッジ１４、化粧柱１６、アタッチメント１７、キャッチプレート１８、Ｕ字鋼１９、フロントカウンター２０、リアカウンター２１等の各部材はアルミ型材であり、このように主要な部材をアルミ型材で構成することにより、防火性に優れるとともに、製造コストを軽減することができる。
【００１９】
このようにして形成される各区画において、前基柱２１に設けられたヒンジ機構（図示せず）を介して開閉自在に扉２３が取り付けられる。扉２３は天然石、人造石で形成される他、木製、金属製とすることもできる。扉２３には名札差し、錠が設けられている。扉２３は平面の他、曲面を有するアーチ型としてもよく、任意の意匠を施すことができる（図２）。
【００２０】
図１７−１〜１７−１１は、本発明納骨壇の施工方法の手順を示す図である。これらの図を参照して本発明納骨壇の施工方法を説明する。各図面において、太線部分が当該手順において取り付けられた部分を表わす。
【００２１】
（手順１）
まず、木製または金属製の柱材、板材を用いて台座２を組み立て、水平を調整し所定の設置床面にアンカーボルトで固定する（図１７−１）。
（手順２）
台座２の前面に、巾木８および巾木台９をビス付けする。また台座２の上面に、２本のスライドベース１０を長手方向に平行に敷設し、ビス付けする（図１７−２）。
（手順３）
前基柱１１、後基柱（井型柱）１２にスライドエッジ１４をビス付けした後、所要数の前基柱１１、後基柱（井型柱）１２をスライドベース１０の端部から挿入し、遊びを持った状態で所定の位置に配置する。両端の後基柱には、袖後基柱（袖井型柱）１３を使用する（図１７−３Ａ、Ｂ）。
（手順４）
隣り合う後基柱（井型柱）１２又は袖後基柱（袖井型柱）１３の背板挿入溝１２ｃ（又は１３ｃ）に、背板４を挿着する（図１７−４）。
（手順５）
両端において、袖柱１を巾木台９に取り付ける（図１７−５）。
（手順６）
スライドベース１０の支持部１０ｂに底板１５を載置し、対向する前基柱１１と後基柱（井型柱）１２の挿入部に仕切り板７の両端を挿入する。次に前基柱１１に化粧柱１６をワンタッチで取り付ける。また前基柱１１にアタッチメント１７を嵌着する（図１７−６Ａ、Ｂ）。
（手順７）
化粧柱１６の上端木口を受台として、フロントカウンター２０を設置し、両端を袖柱１にビスで固定する。（図１７−７Ａ、Ｂ）。
（手順８）
隣接する前基柱１１間の所定寸法に切断加工されたリアカウンター２１をフロントカウンターにワンタッチ接合する。次に仕切り板７の上端にＵ字鋼１９を設置する。棚板６をリアカウンター２１の棚受け（挿入溝２１ｃ）に差し込むようにＵ字鋼１９の上に載せて取り付ける（図１７−８Ａ，Ｂ）。
（手順９）
手順６〜９のとおり、仕切り板７挿着、化粧柱１６取り付け、アタッチメント１７取り付け、フロントカウンター２０取り付け、リアカウンター２１取り付け、Ｕ字鋼１９取り付け、棚板６挿着を繰り返し、中間段を組み上げる。
（手順１０）
手順９を繰り返し最上段まで組み上げる。最上段においては、仕切り板７に加え、背板４の上端にもＵ字鋼１９を設置する。その上に天蓋３を取り付け、笠木２２をフロントカウンター２０に取り付ける（図１７−１０Ａ，Ｂ）。
（手順１１）
側板５の後側にキャッチプレート１８を取り付ける。側板５の前側を袖柱の受け溝１ａに挿入し、後側のキャッチプレート１８を袖後基柱（袖井型柱）１３にワンタッチで嵌め込み固定する。このようにワンタッチで嵌着する構造とすることにより、狭い場所や壁付設置においても、組立ての作業空間を確保する必要もなく、作業当初より、所定位置での組み立てが可能であり効率的である（図１７−１１Ａ）。
（手順１２）
扉２３を取り付けて完成する（図１７−１２）。
【００２２】
このように、それぞれの区画を形成する板材や柱材、その他の部材をそれぞれビス等で固定することなく、挿入したり嵌合するだけの作業で遊びを持たせて順次組み立てていく遊式ワンタッチ組立構造であるため、施工が極めて簡単であり、作業コストを大幅に軽減することが可能となる。さらに、このように遊びを持たせて全体を組み上げた状態で振動を与えることによって、自律的に所定の位置に組み込まれ、全体として組立て誤差を最小限に抑えることができる。
【００２３】
図１８は本発明の別の実施態様を示す図である。これは上下２段で１個の個壇を構成するものであり、このように、各段の高さは均一でなくてもよく、自由に設計することができる。下段３２は上記したような遺骨収納室であるが、上段３１は厨子であり、位牌載置棚や供物載置棚などが設けられ、その他にも任意に装飾意匠を施して壮麗、重厚な外観を呈するものとすることができる。
【符号の説明】
【００２４】
１……袖柱
１ａ…受け溝
２……台座
３……天蓋
４……背板
５……側板
６……棚板
７……仕切り板
８……巾木
９……巾木台
１０……スライドベース
１０ａ…スライド溝
１０ｂ…支持部
１０ｃ…挿入溝
１１……前基柱
１１ａ……ビス穴
１１ｂ……挿入溝
１１ｃ……嵌合部
１１ｄ……嵌合溝
１１ｅ……溝部
１２……後基柱（井型柱）
１２ａ……ビス穴
１２ｂ……仕切り板挿入溝
１２ｃ……背板挿入溝
１３……袖後基柱（袖井型柱）
１３ａ……ビス穴
１３ｂ……仕切り板挿入溝
１３ｃ……背板挿入溝
１３ｄ……折返し部
１４……スライドエッジ
１５……底板
１６……化粧柱
１６ａ……嵌合部
１６ｂ……突起部
１７……アタッチメント
１７ａ……突起部
１８……キャッチプレート
１８ａ……嵌合部
１９……Ｕ字鋼
１９ａ……挿入溝
１９ｂ……支持部
２０……フロントカウンター
２０ａ……溝部
２１……リアカウンター
２１ａ……嵌合部
２１ｂ……突出部
２１ｃ……挿入溝
２２……笠木
２３……扉
３１……厨子
３２……遺骨収納室
【図２】
2014233465.tif 000003
【図３】
2014233465.tif 000004
【図４】
2014233465.tif 000005
【図５】
2014233465.tif 000006
【図６】
2014233465.tif 000007
【図７】
2014233465.tif 000008
【図８】
2014233465.tif 000009
【図９】
2014233465.tif 000010
【図１０】
2014233465.tif 000011
【図１１】
2014233465.tif 000012
【図１２】
2014233465.tif 000013
【図１３】
2014233465.tif 000014
【図１４】
2014233465.tif 000015
【図１５】
2014233465.tif 000016
【図１６】
2014233465.tif 000017
【図１７−１】
2014233465.tif 000018
【図１７−２】
2014233465.tif 000019
【図１７−３Ａ】
2014233465.tif 000020
【図１７−３Ｂ】
2014233465.tif 000021
【図１７−４】
2014233465.tif 000022
【図１７−５】
2014233465.tif 000023
【図１７−６Ａ】
2014233465.tif 000024
【図１７−６Ｂ】
2014233465.tif 000025
【図１７−７Ａ】
2014233465.tif 000026
【図１７−７Ｂ】
2014233465.tif 000027
【図１７−８Ａ】
2014233465.tif 000028
【図１７−８Ｂ】
2014233465.tif 000029
【図１７−９Ａ】
2014233465.tif 000030
【図１７−９Ｂ】
2014233465.tif 000031
【図１７−１０Ａ】
2014233465.tif 000032
【図１７−１０Ｂ】
2014233465.tif 000033
【図１７−１１Ａ】
2014233465.tif 000034
【図１７−１１Ｂ】
2014233465.tif 000035
【図１７−１２】
2014233465.tif 000036
【図１８】
2014233465.tif 000037
【図１９】
2014233465.tif 000038
【図１】
2014233465.tif 000039